(57)【要約】【課題】ＢＬＥＲが小さくなるような再生、また記録後の再生時ＢＬＥＲが小さくなるようなフォーカスのオフセット値の調整を行うことができる光ディスク装置を提供する。【解決手段】ディスクを再生させながら複数回フォーカスオフセット値を変化させて、それぞれのフォーカスオフセット値に応じてブロックエラーレートを計測し、フォーカスオフセット値とフォーカスオフセット値に応じて計測されたブロックエラーレートの値からフォーカスオフセット値とブロックエラーレートの関係式を算出し、フォーカスオフセット値とブロックエラーレートの関係式から最もブロックエラーレートが小さくなる値を算出するようにした。【選択図】図３
2007164919.tif 000002
【特許請求の範囲】
【請求項１】
ディスクに光スポットの照射をすることで、情報の記録および再生を行う光ディスク装置において、ディスク再生時にデータのブロックエラーレートを計測するブロックエラーレート計測手段と、フォーカスオフセット値を変化させるためのフォーカスオフセット変更手段と、ディスクを再生させながら前記フォーカスオフセット変更手段によって複数回フォーカスオフセット値を変化させて、それぞれのフォーカスオフセット値に応じて前記ブロックエラーレート計測手段によってブロックエラーレートを計測し、フォーカスオフセット値とフォーカスオフセット値に応じて計測されたブロックエラーレートの値からフォーカスオフセット値とブロックエラーレートの関係式を算出し、前記フォーカスオフセット値とブロックエラーレートの関係式から最もブロックエラーレートが小さくなる値を算出する算出手段と、を備えたことを特徴とする光ディスク装置。
【請求項２】
請求項１に記載の光ディスク装置において、前記算出手段は、使用ディスクが多層ディスクの場合、ある層で算出した再生用フォーカスオフセット値から他の層の再生用フォーカスオフセット値を算出することを特徴とする光ディスク装置。
【請求項３】
請求項１に記載の光ディスク装置において、前記算出手段は、ある種類の光ディスクの再生用フォーカスオフセット値から他の層の再生用フォーカスオフセット値を算出することを特徴とする光ディスク装置。
【請求項４】
請求項２または請求項３に記載の光ディスク装置において、前記算出手段は、再生時に算出したフォーカスオフセット値から記録時のフォーカスオフセット値を算出することを特徴とする光ディスク装置。
【請求項５】
請求項４に記載の光ディスク装置において、前記再生用フォーカスオフセット値を記憶させておく記憶手段を備え、該記憶手段に予め前記再生用フォーカスオフセット値を記憶させておき、再生時はそのフォーカスオフセット値を用いるようにしたことを特徴とする光ディスク装置。
【請求項６】
請求項５に記載の光ディスク装置において、前記記憶手段に使用するディスクの種類に応じて再生用フォーカスオフセット値を記憶させておくことを特徴とする光ディスク装置。
【発明の詳細な説明】
【技術分野】
【０００１】
本発明はピックアップからのレーザ光をディスクのフォーカスに追従させるサーボ機能を備え、レーザ光により記録・再生を行う光ディスク装置に関する。
【背景技術】
【０００２】
光ディスク等のディスク状記録媒体に対応した記録／再生装置においては、光学ヘッドから出力される光ビームをディスク記録面上において適切な焦点状態となるように制御されなければならず、このため光学ヘッドにおける対物レンズをディスク記録面に対して接離する方向に駆動してフォーカス制御を行うフォーカスサーボ系が設けられている。
特に、面振れ等によって光ディスクが光ビームに対して平行な方向に変動するため、レーザの焦点位置を光ディスクの面上に正確に追従させるフォーカスサーボは不可欠である。
フォーカスエラー信号は光学ヘッドによって得られる反射光情報の演算により生成されるが、フォーカスエラー信号に対してはオフセット（バイアス）電圧が加えられる。
一般的な光ディスク装置においては再生信号の変調度を最大とするようにフォーカスオフセット量を設定されるか（特許文献１参照）、トラッキングエラー信号のピークが最大になるようにフォーカスオフセット量が設定されていた（特許文献２参照）。
【０００３】
また特許文献３には、フォーカス調整時にフォーカスのオフセット量を最適化して再生時や書き込み時に最良のデータ信号を得るようにした光磁気ディスクの記録再生方法および記録再生装置として、フォーカス電流が増加するごとにアドレス情報に応じた差分信号の信号振幅の電圧を順次取り込む。そして、信号振幅のピークである光磁気ディスク内のアドレス情報のデータを所定の閾値で検出すると、この検出時のＤ／Ａ変換器の電圧を記憶する。また同様にフォーカス電流が増加するごとに主情報に応じた差動信号の信号振幅の電圧を取り込む。そして信号振幅のピークである光磁気ディスク内の主情報のデータを所定の閾値で検出し、この検出時のＤ／Ａ変換器の電圧を記憶する。次に前記記憶させてある２つのＤ／Ａ変換器の電圧値を足して２で割った値をフォーカス制御回路によってオフセット電圧に設定する技術が開示されている。
【特許文献１】特開平４−８５７２８号公報
【特許文献２】特開平３−２９６９２４号公報
【特許文献３】特開２０００−２７６７４３公報
【発明の開示】
【発明が解決しようとする課題】
【０００４】
しかしながら、従来の方法で再生信号やトラッキングエラー信号のピークが最大になるようにフォーカスオフセット値を調整したとしても、このときのフォーカスオフセット値が再生時ブロックエラーレート（以後ＢＬＥＲとする）が最も小さくなるときのフォーカスオフセット値と異なるケースがある。これはメディアの複屈折によるレーザ発光の変化、光ピックアップの非点収差の影響によるもので、この影響はディスクの種類や光ディスク装置の光ヘッド毎に異なってくるため、再生信号やトラッキングエラー信号によりフォーカスオフセット値を求めてもＢＬＥＲが悪くなるケースがある。
また光ディスクにおいて記録層を２層以上設けることで記憶容量を拡大することができる。また、光ヘッド（ピックアップ）のアクセスを片面から行い、光ヘッドの光ビームの焦点をそれぞれの層に合わせることで再生、記録が可能になる。これによりディスクを裏返すことなく大容量の記録再生ができる。そのためＤＶＤ（Digital Versatile Disc）では以前から再生専用タイプ（ＲＯＭ）の２層ディスクが広く用いられているが、最近ではこれと同等の容量をも持った記録可能なメディアとしてＤＶＤ＋ＲＤＬ（Double Layer）が実用化されている。
【０００５】
このようなディスクを使用した場合、通常の単層ディスクよりもさらに再生信号やトラッキングエラー信号は、その信号の振幅が小さくなってしまうため、ノイズなどにより振幅測定がうまくいかずに測定値がばらついてしまうため、正しいフォーカスオフセット値を求めることが困難となる。
また再生時と記録時ではビーム光のパワーが異なる。そのためにディスク面から受光した信号のゲインを再生時と記録時で変更しているケースがある。そのため若干再生時の最適なフォーカスオフセットと記録時の最適なフォーカスオフセットが異なってしまう。
本発明の目的は、従来技術における課題を解決するためになされたものであり、ＢＬＥＲが小さくなるような再生、また記録後の再生時ＢＬＥＲが小さくなるようなフォーカスのオフセット値の調整を行うことができる光ディスク装置を提供するものである。
【課題を解決するための手段】
【０００６】
上記目的を達成するため、請求項１に記載の発明は、ディスクに光スポットの照射をすることで、情報の記録および再生を行う光ディスク装置において、ディスク再生時にデータのブロックエラーレートを計測するブロックエラーレート計測手段と、フォーカスオフセット値を変化させるためのフォーカスオフセット変更手段と、ディスクを再生させながら前記フォーカスオフセット変更手段によって複数回フォーカスオフセット値を変化させて、それぞれのフォーカスオフセット値に応じて前記ブロックエラーレート計測手段によってブロックエラーレートを計測し、フォーカスオフセット値とフォーカスオフセット値に応じて計測されたブロックエラーレートの値からフォーカスオフセット値とブロックエラーレートの関係式を算出し、前記フォーカスオフセット値とブロックエラーレートの関係式から最もブロックエラーレートが小さくなる値を算出する算出手段と、を備えたことを特徴とする。
また請求項２に記載の発明は、請求項１に記載の光ディスク装置において、前記算出手段は、使用ディスクが多層ディスクの場合、ある層で算出した再生用フォーカスオフセット値から他の層の再生用フォーカスオフセット値を算出することを特徴とする。
また請求項３に記載の発明は、請求項１に記載の光ディスク装置において、前記算出手段は、ある種類の光ディスクの再生用フォーカスオフセット値から他の層の再生用フォーカスオフセット値を算出することを特徴とする。
【０００７】
また請求項４に記載の発明は、請求項２または請求項３に記載の光ディスク装置において、前記算出手段は、再生時に算出したフォーカスオフセット値から記録時のフォーカスオフセット値を算出することを特徴とする。
請求項５に記載の発明は、請求項４に記載の光ディスク装置において、前記再生用フォーカスオフセット値を記憶させておく記憶手段を備え、該記憶手段に予め前記再生用フォーカスオフセット値を記憶させておき、再生時はそのフォーカスオフセット値を用いるようにしたことを特徴とする。
また請求項６に記載の発明は、請求項５に記載の光ディスク装置において、前記記憶手段に使用するディスクの種類に応じて再生用フォーカスオフセット値を記憶させておくことを特徴とする。
【発明の効果】
【０００８】
本発明によれば、ＲＦがあるディスクでフォーカスオフセットを変化させてブロックエラーレートを求め、その関係から最もブロックエラーレートが小さいフォーカスオフセットを算出し、使用することで再生の品質を向上させることできる。
また使用ディスクが多層ディスクの場合に、ある層で求めたフォーカスオフセットの値から他の層のフォーカスオフセットの関係を予め求めておき、層によって使い分けることで夫々の層で再生品質の向上を図ることができる。
また使用するディスクの種類に応じて、あるディスクで求めたフォーカスオフセットの値から他の種類のディスクのフォーカスオフセットの関係を予め算出しておき、ディスクの種類によって使い分けることでディスクが異なっても再生品質の向上を図ることができる。
また記録時のフォーカスオフセットを再生時の値に対してある関係式に応じて設定することにより記録品質の向上を図ることができる。
また使用ディスクが多層ディスクの場合にそれぞれの層でフォーカスオフセットを求めるようにしたことで夫々の層で再生品質の向上を図ることができる。
また使用ディスクの種類それぞれで予めフォーカスオフセットを求めるようにしたことで、ディスクが異なっても再生品質の向上を図ることができる。
【発明を実施するための最良の形態】
【０００９】
図１は本発明の実施形態に係る光ディスク装置のブロック図である。
この図１において、ディスク３は回転モータ１によって回転する。回転モータ１はディスク回転制御手段２によって、所定の速度で回転する。ヘッド４はディスク３の記録膜上に光ビームを集光させ、ディスク３からの反射光をいくつかの信号に変換し、図示しない各種の手段によって演算され、ＲＦやフォーカスサーボ、トラッキングサーボを行うサーボ信号となる。このうちサーボ手段５に入力された信号はフォーカスエラー信号（以下、「ＦＥ」という）やトラックエラー信号（以下、「ＴＥ」という）になりフォーカシングサーボ、トラッキングサーボを実現する。またＲＦ生成手段６によってＲＦ信号となり、これがコントローラ７に入力される。コントローラ７では、ＲＦ信号の波形等化や二値化され再生データとなり、この再生データが外部Ｉ／Ｆ９を介して図示しないホストコンピュータとやりとりを行う。なお、コントローラ７には、この再生データのＢＬＥＲを測定する手段も含まれているとする。
【００１０】
またヘッド４からの光ビームをディスク３に集光させて記録マークを形成する。また、ディスク３の半径方向に移動可能で、ディスクに予め設けられた試し書き領域や、データ領域にアクセス可能である。
ヘッド４には光源（図示しない）が搭載されている。これは一般的には半導体レーザ（ＬＤ：Laser Diode）が用いられる。このレーザはドライバ手段１２によって所定の記録パワー状態に入力パルス信号で変調される。レーザが記録パワー状態とスペースパワー状態の間で変調されることで、記録膜上には記録マークとそうでないところができる。これを再生すると反射率の差が生じて、情報信号として再生することができる。
記録マークは、ＤＶＤ−Ｒ、ＤＶＤ＋Ｒのような非可逆な有機色素媒体では、ピット（穴）であり、そうでないところはスペースと呼ばれる。
【００１１】
パワー設定手段１１は、コントローラ７から入力される記録パワー指令に応じて、ＬＤドライバを駆動し、レーザをそのパワーで光らせる。記録データはデータ生成手段１３で所定のフォーマットで符号化や変調処理がなされ、シリアル形式で記録データ列として出力される。
パルス設定手段１０によるパルス幅の設定は固定でもよいが、線速度やディスク種別に応じてコントローラ７によってそれぞれに設定するとなおよい。線速度やディスク種別による、記録マーク長ごとの感度の違いを吸収できるからである。このときディスクに応じて設定するようなパラメータは設計時などにパラメータ記憶手段８に予め記憶させておく。
パラメータ記憶手段（記憶手段）８は、例えばＦｌａｓｈＲＯＭのような不揮発性メモリにより構成される。なお、工程などできまったパラメータなどもこのパラメータ記憶手段８に追加で記憶させることができる。
このように構成される本実施形態の光ディスク装置では、予め工程調整などでＲＦ信号があるディスクを再生しながら、いくつかのフォーカスオフセット値に変化させ、夫々のフォーカスオフセットの値においてＢＬＥＲを測定する。このときフォーカスオフセットに対するＢＬＥＲの関係は一般的には図２に示すようになる。
【００１２】
一般的にフォーカスオフセット値というと電圧値であるが、オフセット値を変更するという場合、一般的にコントローラ７内のＤ／Ａコンバータ（図示していない）によって設定するので、ここではＤ／Ａコンバータで設定するとして、設定が０ＬＳＢではフォーカスサーボをオンしている位置から動かさないとし、−側では光ヘッドがディスクから遠ざかり、＋側では光ヘッドがディスクに近づくとする。
フォーカスオフセット値が０というのは、これを２次式（もしくは次数が２次よりも大きい式）の形で求める。次に、求めた式に対して変化させたフォーカスオフセットの範囲内でフォーカスオフセットが最も小さくなる値を算出する。
実際に光ディスク装置で使用する場合はこの値を設定する。図２ではＢＬＥＲが最も小さくなる付近ではフォーカスオフセット値が変わってもあまり変わらず、ＢＬＥＲが最も小さくなるところから離れるにつれてフォーカスオフセット値が急激に大きくなる。つまり２次関数的に大きくなる。
そこで、フォーカスオフセット値とＢＬＥＲを２次近似により近似式をつくる。２次近似式では、２次の項の係数によって最小値があるかがわかるので、その最小値は計算できる。最小値がある場合は最小値を計算する。
ここで、２次近似式を作らずに測定した最も小さいフォーカスオフセット値を調整値として用いても良いが、ＢＬＥＲの測定がディスクの欠陥といった要因で急激に悪くなってしまった場合に調整値が大幅にずれる可能性があるので近似式から求めたフォーカスオフセット値を調整値とする方が良い。
【００１３】
このようにして求めた調整値を、光ディスク装置に設けたパラメータ記憶手段８を設け、このパラメータ記憶手段８に記憶させておく。そして実際に使用する際のフォーカスオフセット値は記憶させておいた調整値を使用する。
また、多層ディスクのフォーカスオフセット値は、それぞれの層でフォーカスオフセットの値が異なることが考えられる。そこで、予め決めておいたある層（例えば最もピックアップに近い層）で前記のようにディスクを再生させてフォーカスオフセット値を変化させたときのＢＬＥＲを測定し、前記と同様にフォーカスオフセット値とＢＬＥＲの関係からフォーカスオフセット値が最も小さくなる値を調整値とし記憶させておく。他の層のフォーカスオフセット値は、前記のようにして求めたある層のフォーカスオフセットの値に対してどのような関係があるかを設計段階などで調べ、その関係を式の形で求めておき、実際に使用する際に、層に応じて記憶させておいた調整値によって、調整したときの層であればそのまま調整値をフォーカスオフセット値とし、他の層であれば記憶させておいた調整値を予め求めておいた関係式に応じて計算した値をフォーカスオフセット値とする。このときの関係式は単なる差でも良いし、複雑なものでもよい。
また、ある光ディスク（以下、ディスクＡという）でＢＬＥＲが最も小さくなるフォーカスオフセット値が他の種類の光ディスク（以下、ディスクＢという）でＢＬＥＲが最も小さくなるフォーカスオフセット値とならないケースがある。そこでディスクＡとディスクＢの夫々でＢＬＥＲが最も小さくなるフォーカスオフセット値がどのような関係があるかを予め段階などである関係式の形で調べておく。
工程ではディスクＡで前記のようにフォーカスオフセットの調整値を記憶させておき、実施に使用する際に光ディスクの種類に応じて記憶させておいた調整値をそのまま使用するか、ある関係式によって記憶させておいた調整値から計算してフォーカスオフセット値として使用する。このときの関係式は単なる差でもよいし、複雑なものでもよい。
【００１４】
また記録時と再生時では発光パワーが大きくことなることもあり、再生時のフォーカスオフセット値が同じであっても、記録時に設定パワーが同じであってもフォーカスオフセット値を変化させた場合に、図２のように記録時のフォーカスオフセットと記録後の再生時ＢＬＥＲには２次関数的な関係となる。
そこで設計段階で予め記録時にもフォーカスオフセット値を変えながら記録を行い、記録位置を再生してその最もＢＬＥＲが最も小さくなる点が記録時の最適なフォーカスオフセット値（記録時調整値）となるため、再生時のＢＬＥＲが最も小さくフォーカスオフセット値（再生時調整値）と、この記録時調整値の関係を求める。
これは例えば再生時調整値をｆｏｆｓ＿ｒｅａｄ、記録時調整値をｆｏｆｓ＿ｗｒｉｔｅとした場合、ｆｏｆｓ＿ｗｒｉｔｅ＝ｆｏｆｓ＿ｒｅａｄ＋ｏｆｓ＿ｂ１のｏｆｓ＿ｂ１ように再生時の値にある固定の差分を足すだけでも良いし、ｆｏｆｓ＿ｗｒｉｔｅ＝ｆｏｆｓ＿ｒｅａｄ＋（ｆｏｆｓ＿ｒｅａｄ×ｏｆｓ＿ａ１＋ｏｆｓ＿ｂ２）のように差分を再生時調整値に対して変化させて、その差分を再生時調整値に足すようにしたり、或いはｆｏｆｓ＿ｗｒｉｔｅ＝ｆｏｆｓ＿ｒｅａｄ×ｏｆｓ＿ａ２＋ｏｆｓ＿ｂ３のように単に再生時調整値に対してある１次式の関係で記録時調整値を算出したりしても良い。
このようにして再生時と記録時それぞれの調整値の関係を求めるようにしておき、実際の記録時は再生時の調整値に対して前記の関係からフォーカスオフセット値を求めて使用する。
【００１５】
また光ディスクの層毎でフォーカスオフセット値を変化させてＢＬＥＲを測定し、フォーカスオフセット値を調整する。このようにして層毎に調整した値を求めて使用することで、前記のようにある層から他の層の調整値を計算するよりも、実際に測定して求めた値から設定するのでより正確な値となる。
但し、この調整を層ごとに行うことで工程のタクトタイムが増えるというデメリットもあるため、予め実験などで層毎に調整する必要があるかを調べておき、必要に応じて他の層から計算して調整値とする方法を使うかどうかを決定する。
また光ディスクの種類が異なる場合でフォーカスオフセット値を変化させてＢＬＥＲを測定し、フォーカスオフセット値を調整する。
例えばＤＶＤにおいてはＤＶＤ＋Ｒ、ＤＶＤ−ＲやＤＶＤ−ＲＡＭといったものがあるが、夫々物理的構造が異なるため、フォーカスオフセットの値が異なる場合があり、直接フォーカスオフセットを変化させてＢＬＥＲ測定し、ＢＬＥＲが最も小さくなるフォーカスオフセット値を調整値として実際に使用する際にフォーカスオフセット値として使用する。このようにするとある種類の光ディスクのフォーカスオフセット値から計算するよりも、フォーカスオフセット調整値としては正確になる。但し、こちらも工程のタクトタイムが長くなったり、新たに光ディスクを使用することになるためコストもあがってしまうので、予め実験などでメディアの種類ごとに調整する必要があるかどうかを調べておき、必要に応じて他の種類のディスクから計算して調整値とするかどうかを決めるようにする。このように構成することでディスクの種類、層が異なっても再生時の品質を落とさないで済む。
これまで説明した光ディスク装置の処理動作はコントローラ７において実行される。即ち、ディスク再生時にデータのブロックエラーレートを計測するブロックエラーレート計測手段、及びブロックエラーレートの値からフォーカスオフセット値とブロックエラーレートの関係式（２次近似曲線）と、この２次近似曲線から最もブロックエラーレートが小さくなる値を算出する算出手段は、コントローラ７が実行する処理により実現されるものである。
【００１６】
以下、上記した本実施形態の光ディスク装置の処理動作について説明する。
先ず、図３及び図４に示すフローチャートを用いてＢＬＥＲが最も小さくなるフォーカスオフセット調整処理について説明する。なお、以下に説明する調整処理はコントローラ７において実行される。
この場合、先ず、工程の出荷（出荷の検査前）にＲＦがあるディスクを再生させる（Ｓ１）。再生後、ＲＦがあるところにシークを行い（Ｓ２）、シーク後にフォーカスオフセット値を−４０ＬＳＢに設定する（Ｓ３）。−４０ＬＳＢに設定した状態で再生位置のＢＬＥＲを測定してパラメータ記憶手段８に保存する（Ｓ４）。
次に、現在のフォーカスオフセット値が４０ＬＳＢであるか否かの判別を行い（Ｓ５）、フォーカスオフセット値が４０ＬＳＢでなければ（Ｓ５でＮ）、フォーカスオフセット値に１０を加算して（Ｓ６）、ステップＳ４に戻り、再度ＢＬＥＲを測定してパラメータ記憶手段８に保存する（Ｓ４）。この処理はステップＳ５において現在のフォーカスオフセット値が４０ＬＳＢであると判別されるまで（Ｓ５でＹ）行う。つまり、ここではフォーカスオフセット値を−３０ＬＳＢ、−２０ＬＳＢ、−１０ＬＳＢ、０ＬＳＢ、１０ＬＳＢ、２０ＬＳＢ、３０ＬＳＢ、４０ＬＳＢの夫々でＢＬＥＲを測定する。
【００１７】
次に、これらのフォーカスオフセット値と各々のＢＬＥＲの値から２次近似式を算出する（Ｓ７）。次に、算出した２次近似式にフォーカスオフセット値ｆｅｏｆｓ＿ｃｕｒに−４０を代入して算出したＢＬＥＲをｂｌｅｒ＿ｍｉｎとしてパラメータ記憶手段８に保持する（Ｓ８）。
次に、フォーカスオフセット値ｆｅｏｆｓ＿ｃｕｒに「１」を加算し（Ｓ９）、この加算したフォーカスオフセット値ｆｅｏｆｓ＿ｃｕｒから算出したＢＬＥＲをｂｌｅｒ＿ｃｕｒとする（Ｓ１０）。
次に、算出したｂｌｅｒ＿ｍｉｎとｂｌｅｒ＿ｃｕｒの値を比較し（Ｓ１１）、ｂｌｅｒ＿ｍｉｎよりもｂｌｅｒ＿ｃｕｒの値が小さい場合（Ｓ１１でＹ）は、フォーカスオフセット値ｆｅｏｆｓ＿ｃｕｒに「１」を加算し（Ｓ１２）してステップＳ１０に戻る。
そして、ステップＳ１１において否定結果が得られた場合（Ｓ１１でＮ）は、ｂｌｅｒ＿ｃｕｒをｂｌｅｒ＿ｍｉｎとし（Ｓ１３）、このときのフォーカスオフセット値ｆｅｏｆｓ＿ｃｕｒをｆｏｏｆｓ＿ｂｌｅｒ＿ｍｉｎとする（Ｓ１４）。
このようにしてフォーカスオフセット値を１づつ小さくしていき、ｂｌｅｒ＿ｃｕｒの値がｂｌｅｒ＿ｍｉｎよりも大きくなった場合に、そのときにｂｌｅｒ＿ｍｉｎを最適なフォーカスオフセット値として、パラメータ記憶手段８に保存する（Ｓ１５）。
【００１８】
次に、再生しているディスクが多層ディスクか否かの判別を行い（Ｓ１６）、多層ディスクであれば（Ｓ１６でＹ）、全ての層の調整が終わっているか否かの判別を行い（Ｓ１７）、全ての層の調整が終わっていなければ（Ｓ１７でＮ）、層を変更して（Ｓ１８）、ステップＳ２から処理を継続する。つまり、ＲＦがあるところにシークして調整をし直す。
一方、全ての層の調整が終わっている場合は（Ｓ１７でＹ）、他のディスクで調整をするかどうかの判別を行い（Ｓ１９）、調整をする場合は（Ｓ１９でＹ）、ディスクを交換して（Ｓ２０）ステップＳ１に戻って処理を継続する。つまり、ディスクを交換してディスク再生から調整をしなおす。またステップＳ１６において、多層ディスクでないと判別した場合は（Ｓ１６でＮ）、ステップＳ１７の処理をスキップしてステップＳ１９に進む。
なお、実際の動作上においては、ディスク判別を行った後にそれぞれのディスクに応じてフォーカスオフセットの設定を行うようにする。
【００１９】
次に、図５に示すフローチャートを用いて再生時のフォーカスオフセット設定処理について説明する。なお、以下に説明する設定処理もコントローラ７において実行される。また、ここでは記録系ディスクを２層ディスクとし、夫々の層をＬａｙｅｒ０、Ｌａｙｅｒ１とする。
この場合は、先ず、再生するディスクが記録系のディスクか否かの判別を行い（Ｓ２１）、記録系のディスクで有れば（Ｓ２１でＹ）、層がＬａｙｅｒ１である否かの判別を行う（Ｓ２２）。層がＬａｙｅｒ１であれば（Ｓ２２でＹ）、記録系Ｌａｙｅｒ１のフォーカスオフセットを設定し（Ｓ２３）、層がＬａｙｅｒ１でなければ（Ｓ２２でＮ）、Ｌａｙｅｒ０のフォーカスオフセットを設定して（Ｓ２４）、処理を終えることになる。
【００２０】
次に、図６に示すフローチャートを用いて記録時のフォーカスオフセット設定処理について説明する。なお、以下に説明する設定処理もコントローラ７において実行される。
この場合、先ず、記録するディスクの層がＬａｙｅｒ０である否かの判別を行い（Ｓ３１）、層がＬａｙｅｒ０であれば（Ｓ３１でＹ）、パラメータ記憶手段８に記憶されている再生時のＬａｙｅｒ０のフォーカスオフセット値ｆｅｏｆｓ＿ｒｅａｄ＿Ｌａｙｅｒ０から記録時のＬａｙｅｒ０のフォーカスオフセット値ｆｅｏｆｓ＿ｗｒｉｔｅ＿Ｌａｙｅｒ０を算出し（Ｓ３２）、層がＬａｙｅｒ０でなければ（Ｓ３１でＮ）、パラメータ記憶手段８に記憶されている再生時のＬａｙｅｒ１のフォーカスオフセット値ｆｅｏｆｓ＿ｒｅａｄ＿Ｌａｙｅｒ１から記録時のＬａｙｅｒ１のフォーカスオフセット値ｆｅｏｆｓ＿ｗｒｉｔｅ＿Ｌａｙｅｒ１を算出して（Ｓ３３）、フォーカスオフセットを設定する（Ｓ３４）。この後、ディスクへの記録を開始すればよい（Ｓ３５）。なお、記録時のフォーカスオフセット値を再生時のフォーカスオフセット値から算出する算出方法は、予め記録後に再生したときのＢＬＥＲが最も小さくなるようなフォーカスオフセットを設計段階において決定しておくものとする。
【００２１】
なお、特開２００５−１１５１８公報においてもブロックエラーレートから最適なフォーカスオフセットを見つける技術が開示されているが、この公報に開示されている技術では、フォーカスオフセット値を変化させていき、測定によりブロックエラーレートが一定値以下になるところをフォーカスオフセットとしている。フォーカスオフセットとブロックエラーレートの関係は、図２に示したように必ずしも２次関数的でなく、図７に示すようにブロックエラーレートがある部分でのみ悪い箇所があり、この部分を含めて測定を行った場合は、本来のもっともブロックエラーレートが低くなる位置とは異なる位置をフォーカスオフセットに設定してしまうおそれがある。
これに対して、本発明はいくつかのブロックエラーレートとフォーカスオフセットの関係式を求めてから、最もブロックエラーレートが小さくなるフォーカスオフセットを求めるようにしているにで、ある部分でブロックエラーレートが悪い場合であっても影響が少なくなるといった利点がある。
【図面の簡単な説明】
【００２２】
【図１】本発明の実施形態に係る光ディスク装置のブロック図。
【図２】フォーカスオフセットとＢＬＥＲの関係を示した図。
【図３】フォーカスオフセット調整処理を示したフローチャート。
【図４】フォーカスオフセット調整処理を示したフローチャート。
【図５】再生時のフォーカスオフセット設定処理を示したフローチャート。
【図６】記録時のフォーカスオフセット設定処理を示したフローチャート。
【図７】フォーカスオフセットとＢＬＥＲの関係を示した図。
【符号の説明】
【００２３】
１…回転モータ、２…ディスク回転制御手段、３…ディスク、４…ヘッド、５…サーボ手段、６…ＲＦ生成手段、７…コントローラ、８…パラメータ記憶手段、９…外部Ｉ／Ｆ、１０…パルス設定手段、１１…パワー設定手段、１２…ドライバ手段、１３…データ生成手段
【図１】
2007164919.tif 000003
【図２】
2007164919.tif 000004
【図３】
2007164919.tif 000005
【図４】
2007164919.tif 000006
【図５】
2007164919.tif 000007
【図６】
2007164919.tif 000008
【図７】
2007164919.tif 000009